(57)【特許請求の範囲】
【請求項１】
室外コイル、室外ファン、圧縮機、電装品箱等を備えた空気調和機の室外ユニットであって、前記電装品箱は、一側部が端子盤により開閉可能とされ、かつ、この端子盤に接する内部にオプション機器設置用スペースが設けられ、更に、前記端子盤は、複数の端子台と、これら端子台間の渡り配線をパターン化した導電性フレームを樹脂で被覆して形成した電路板とから構成され、端子台が電路板の外面に設けられていることを特徴とする多室用空気調和機の室外ユニット。
【請求項２】
電装品箱に端子盤の下部を枢支軸にて軸支し、この軸支軸廻りに端子盤を揺動させて電装品箱の一側部を開閉可能としたことを特徴とする請求項１記載の空気調和機の室外ユニット。
【請求項３】
請求項１又は２記載の室外ユニットと、この室外ユニットに接続される複数台の室内ユニットとを備えたことを特徴とする多室型空気調和機。
【発明の詳細な説明】
【０００１】
【発明の属する技術分野】
本発明は、空気調和機の室外ユニット及び多室型空気調和機に関する。
【０００２】
【従来の技術】
近年、１台の室外ユニットに対して複数台の室内ユニットが備えられた多室型（いわゆるマルチタイプ）の空気調和機が普及してきている。この多室型空気調和機の室外ユニットの内部上方には、図４に示すような電装品箱６０が備えられている。以下、図４と図５から、従来の多室型空気調和機の室外ユニットの電装品箱６０を説明する。なお、図４は従来の多室型空気調和機の室外ユニットにおける電装品箱を示す簡略図であり、図５は従来の同電装品箱に備えられた端子盤の端子台の電線接続状態を説明する簡略図である。
【０００３】
この電装品箱６０には、各種の電装品７１が実装されたプリント基板７０が上下反転させた状態で収納されている。また、電装品箱６０内のプリント基板７０の電装品７１と、図示しない室内ユニットの電装品箱の電装品とを接続するために、電装品箱６０の一側部には複数個の端子台６１を有する端子盤６２が設けられている。また、電装品箱６０の上部には蓋６３が取り付けられる。
【０００４】
端子盤６２の複数個の端子台６１のうち、例えば、端子台６１ａが室外ユニットＡに接続され、端子台６１ｂが室外ユニットＢに接続され、端子台６１ｃが室外ユニットＣに接続され、端子台６１ｄが電源に接続される。また、各端子台６１ａ、６１ｂ、６１ｃからは１本の配線６３が室外ユニットのプリント基板７０に接続される。さらに、端子台６１ｄからは２本の渡り配線６４、６４が端子台６１ｃに接続され、端子台６１ｃからは２本の渡り配線６５、６５が端子台６１ｂに接続され、端子台６１ｂからは２本の渡り配線６６、６６が端子台６１ａに接続される。
【０００５】
ところで、この多室型空気調和機は現地据付後に多機能化が進められることがある。このような依頼がユーザーからあった場合、作業者は、現地の室外ユニットの電装品箱６０にニーズに応じた機能拡張用のオプション機器（例えば集中リモコン用のアダプタＰ板、運転データの記憶用Ｐ板など）を取り付ける必要性に迫られる。
【０００６】
【発明が解決しようとする課題】
しかしながら、従来の室外ユニットの電装品箱６０は、オプション機器の設置スペースが十分に確保されておらず、オプション機器の大きさや取付枚数によってはオプション機器を取り付けることができず、ユーザーの希望に沿えないことがあった。また、電装品箱６０内にオプション機器を取付けできるスペースを見い出し得た場合であっても、その位置がプリント基板７０の下方位置などにある場合には、電装品箱６０の蓋６３を取り外し、据付けられているプリント基板７０を電装品箱６０内から取り出すなどのことが必要であり、取付作業に手間と時間を要していた。また、この取付作業において、プリント基板７０の下面側に外部電線のコネクタ（図示省略）が接続されていれば、プリント基板７０を電装品箱６０内から取り出すためにコネクタを一旦取り外し、オプション機器取付後に再びコネクタをプリント基板７０に接続するので、コネクタの差し間違えなどの現地作業不良を生じるおそれがあった。
【０００７】
本発明は、このような従来技術に存する問題点を解決するためのものであり、空気調和機の室外ユニット及び多室型空気調和機において、ニーズに応じた機能拡張を容易かつ確実に行えるようにすることを目的とする。
【０００８】
【課題を解決するための手段】
上記のような目的を達成するために、本発明の空気調和機の室外ユニットは、室外コイル、室外ファン、圧縮機、電装品箱等を備えた空気調和機の室外ユニットであって、前記電装品箱は、一側部が端子盤により開閉可能とされ。かつ、この端子盤に接する内部にオプション機器設置用スペースが設けられ、更に、前記端子盤は、複数の端子台と、これら端子台間の渡り配線をパターン化した導電性フレームを樹脂で被覆して形成した電路板とから構成され、端子台が電路板の外面に設けられているものである。
【０００９】
このように構成すれば、端子盤を開放して、オプション機器設置用スペースにオプション機器を簡単に取り付けることができる。したがって、ユーザーから依頼があった場合には、オプション機器の現地取付作業を短時間で行うことができる。また、電装品箱のオプション機器設置用スペースは、オプション機器を後付けすることを前提として十分な広さに確保されているため、大きいオプション機器及び／又は複数のオプション機器の取付けに確実に対応することができる。また、オプション機器の取付けに際しては、プリント基板を電装品箱の外部に取り出す必要がないため、プリント基板に外部電線のコネクタが接続されている場合にはコネクタの脱着作業がなく、コネクタ差し間違えなどの現地作業不良が防止される。また、端子盤は、端子台から端子台へと接続する渡り配線をパターン化した導電性フレームを樹脂にて被覆した電路板とから構成され、端子台が電路板の外面に設けられているので、端子盤の外面側の配線本数が大幅に減少する。したがって、端子盤の開閉時に配線が邪魔にならず、作業者が不用意に配線を引っ張ったり、配線が他部材に引っ掛かるなどによる配線の断線、損傷等のおそれがない。
【００１０】
また、電装品箱に端子盤の下部を枢支軸にて軸支し、この枢支軸廻りに端子盤を揺動させて電装品箱の一側部を開閉可能としたものとしてもよい。
このように構成すれば、端子盤を電装品箱から離脱させずに開放することができる。また、端子盤を開放位置で保持することができる。したがって、電装品箱内のオプション機器設置用スペースにオプション機器を取り付ける際、端子盤を作業者が手で持ったり他の場所に載置する必要がないため、取付作業を能率よく確実に行うことができる。
【００１１】
また、本発明の多室型空気調和機は、上述の室外ユニットと、この室外ユニットに接続される複数台の室内ユニットとを備えたものである。
このように構成すれば、機能拡張用オプション機器（集中リモコン用のアダプタＰ板、運転データの記憶用Ｐ板など）の必要性の高い多室型空気調和機の室外ユニットにおいて、ユーザーのニーズに迅速かつ確実に対応することができる。
【００１２】
【発明の実施の形態】
以下、本発明の実施の形態を、図１〜図３を参照しながら詳細に説明する。なお、図１は本実施の形態の多室型空気調和機の全体構成図であって、室外ユニットの概略構成図を兼ねたものであり、図２は同実施の形態の室外ユニットの電装品箱を示す正面断面図であり、図３は同実施の形態の端子盤の概略構成図である。
【００１３】
図１に示すように、この多室型空気調和機１は、屋外に設置される室外ユニット２と、屋内の各部屋毎に設置される複数台（この場合３台）の室内ユニットＡ、Ｂ、Ｃとを備えている。
【００１４】
室外ユニット２は、ケーシング３の内部を仕切る仕切板４によって熱交換室５とその右側方の機器室６とに区画されている。熱交換室５には、背面側に室外コイル７が配置されるとともに、室外コイル７の正面側に室外ファン８が配置されている。機器室６には、圧縮機９、膨張弁、アキュームレ―タ等が収納されている。
【００１５】
また、ケーシング３の機器室６側の側板上部には、後述する電装品箱１０用のサービス開口部３ａと、サービス開口部３ａを閉蓋するサービス蓋３ｂが設けられている。また、熱交換室５及び機器室６の上方には、右側部が機器室６に臨むように熱交換室５と機器室６に跨って横長に形成された前記電装品箱１０が配置されている。この電装品箱１０の右側部は、前記サービス開口部３ａに対向する位置に配置されている。
【００１６】
図２に示すように、電装品箱１０は、本体部１１と、この本体部１１の右側方開口部１１ａを開閉可能に閉鎖する端子盤２１と、本体部１１の上方開口部を閉蓋する蓋体３１とを備えている。
【００１７】
本体部１１は、底壁部１２と、底壁部１２の外周側に立設された周囲壁部１３とを有する。
底壁部１２は、左右方向の中間近傍位置に段部１２ａを有し、段部１２ａの右側に低位部１２ｂが、左側に高位部１２ｃが配置されている。
【００１８】
底壁部１２の低位部１２ｂには、下面に電装品４１が装着されたプリント基板４０を支持するための基板支持部（図示省略）が周囲壁部１３の内面に沿って立設されている。プリント基板４０は、その上面４０ａが蓋体３１の下面３１ａ近傍に配置されるように基板支持部に水平状に支持固定されている。
【００１９】
このように、底壁部１２における端子盤２１側を意図的に下げて低位部１２ｂを形成し、低位部１２ｂの上方に所定間隔をもってプリント基板４０を配置することによって２点鎖線で囲んだスペースが確保され、このスペースがオプション機器設置用スペース１５とされている。このオプション機器設置用スペース１５には、多室型空気調和機の機種によって異なる機能拡張用のオプション機器４５（例えば、集中リモコン用のアダプタＰ板、運転データの記憶用Ｐ板など）が、ユーザーから要望があった場合に設置される。オプション機器設置用スペース１５は、これらの各種オプション機器４５を後付けすることを前提として十分な空間広さに確保されている。
【００２０】
図３に示すように、端子盤２１は、導電性フレーム２４、２５を樹脂で被覆した電路板２２と、電路板２２の外面（表て面）に設けられた複数の端子台２３ａ、２３ｂ、２３ｃ、２３ｄとを備え、全体として矩形板状に形成されている。以下、単に端子台２３と称するときは、端子台２３ａ、２３ｂ、２３ｃの全て又は何れかを意味するものとする。
【００２１】
端子台２３は、樹脂被覆部２６の一部を剥離して導電性フレーム２４、２５の一部を露出した露出部と、その露出部を区画するコの字形の区画壁（図３の太線部分）とにより構成されており、各コの字形部分が電線接続部として形成されている。そして、端子台２３ａは室内ユニットＡに接続され、端子台２３ｂは室内ユニットＢに接続され、端子台２３ｃは室内ユニットＣに接続され、端子台２３ｄは電源に接続される。また、端子台２３は内側から電線（ハーネス）４３を介してプリント基板４０と接続される。なお、端子台２３の各電線接続部には、図示しないネジ孔及びこれに羅着される電線接続用の端子ビス等が設けられる。
【００２２】
電路板２２は、前記導電性フレーム２４及び導電性フレーム２５と、この導電性フレーム２４、２５を相互に絶縁状態で被覆する樹脂被覆部２６とを備える。導電性フレーム２４、２５は、端子台２３から端子台２３へと接続する渡り配線（図６参照）をパターン化したものであって、一端側が端子台２３ｄに接続され、他端側が端子台２３ａに接続され、途中部は分岐して端子台２３ｂと端子台２３ｃに接続されている。
【００２３】
また、図２と図３に示すように、端子盤２１の両側部の下部には枢支軸２７、２７が設けられている。一方、本体部１１の周囲壁部１３の前後面部には、前記枢支軸２６、２６が嵌合される凹部（図示省略）が設けられており、この凹部に端子盤の枢支軸２６、２６が嵌合されている。したがって、端子盤２１を枢支軸２６、２６廻りに揺動して電装品箱１０の右側方開口部１１ａを開閉することができる。
【００２４】
本実施の形態は上述のように構成されているので、サービス蓋３ｂを取り外してサービス開口部３ａを開放し、電装品箱１０の端子盤２１を開放して、各機種の多室型空気調和機に対応した機能拡張用オプション機器（集中リモコン用のアダプタＰ板、運転データの記憶用Ｐ板など）をオプション機器設置用スペース１５に容易に取り付けることができる。したがって、ユーザーから依頼があった場合には、オプション機器４５の現地取付作業を短時間で行うことができる。このオプション機器設置用スペース１５は、オプション機器を後付けすることを前提として十分な広さに確保されているため、大型のオプション機器の取付け、複数のオプション機器の取付けに確実に対応することができる。また、オプション機器４５の取付けに際しては、プリント基板４０を電装品箱１０の外部に取り出す必要がないため、プリント基板４０に外部電線のコネクタ（図示省略）が接続されている場合にはコネクタの脱着作業がなく、コネクタ差し間違えなどの現地作業不良が防止される。
【００２５】
また、本実施の形態は、端子盤２１が、端子台２３から端子台２３へと接続する渡り配線をパターン化した導電性フレーム２４、２５を樹脂にて被覆した電路板２２により構成されているので、端子盤２１の外面側の配線本数が大幅に減少しする。したがって、端子盤２１の開閉時に配線が邪魔にならず、作業者が不用意に配線を引っ張ったり、配線が他部材に引っ掛かるなどによる配線の断線、損傷等のおそれがない。
【００２６】
また、本発明の実施の形態は、電装品箱１０に端子盤２１の下部を枢支軸２７にて軸支し、この枢支軸２７廻りに端子盤２１を揺動させて一側部を開閉可能ととして構成されているので、端子盤２１を離脱させずに開放することができる。また、端子盤２１を開放位置で保持することができる。したがって、電装品箱１０内のオプション機器設置用スペース１５にオプション機器４５を取り付ける際、端子盤２１を作業者が手で持ったり他の部位に載置する必要がないため、取付作業を能率よく確実に行うことができる。
【００２７】
なお、本発明は上述の実施の形態に限定されるものではなく、例えば、端子盤２１において、端子台２３の数や配置、導電性フレーム２４ａ、２４ｂの形状等は、図４に示したものに限定されるものではなく、室内ユニットの台数や端子盤２１の用途等に応じて変更可能である。また、本実施の形態では多室型空気調和機の室外ユニットの場合を例示したが、この室外ユニットは、室内ユニット１台のみに対応するいわゆるペア型の空気調和機の室外ユニットとしても適用することができる。
【００２８】
【発明の効果】
本発明に係る空気調和機の室外機によれば、端子盤を開放してオプション機器設置用スペースにオプション機器を簡単に短時間で取り付けることができる。また、電装品箱のオプション機器設置用スペースには、大型のオプション機器、複数枚のオプション機器を取り付けることができる。また、オプション機器の取付けに際しては、据付けされているプリント基板に外部電線のコネクタが接続されている場合にはコネクタの脱着作業がなく、コネクタ差し間違えなどの現地作業不良が防止される。また、端子盤の外面側の配線本数が大幅に減少するので、端子盤の開閉時に配線が邪魔にならず、配線の断線、損傷等のおそれがない。
また、本発明に係る多室型空気調和機によれば、多室型空気調和機に対応した機能拡張用オプション機器（集中リモコン用のアダプタＰ板、運転データの記憶用Ｐ板など）を容易に室外ユニットに設置することができ、ユーザーのニーズに迅速かつ確実に対応することができる。
【図面の簡単な説明】
【図１】本実施の形態の多室型空気調和機の全体構成図であって、室外ユニットの概略構成図を兼ねたものである。
【図２】同実施の形態の室外ユニットの電装品箱を示す正面断面図である。
【図３】同実施の形態の端子盤の概略構成図である
【図４】従来の多室型空気調和機の室外ユニットにおける電装品箱を示す簡略図である。
【図５】従来の同電装品箱に備えられた端子盤の端子台の電線接続状態を説明する簡略図である。
【符号の説明】
２     室外ユニット
７     室外コイル
８     室外ファン
９     圧縮機
１０   電装品箱
１５   オプション機器設置用スペース
２１   端子盤
２２   電路板
２３   端子台
２４   導電性フレーム
２５   導電性フレーム
２７   枢支軸
Ａ     室内ユニット
Ｂ     室内ユニット
Ｃ     室内ユニット
【図１】
0003797261.tif 000002
【図２】
0003797261.tif 000003
【図３】
0003797261.tif 000004
【図４】
0003797261.tif 000005
【図５】
0003797261.tif 000006